(57)【特許請求の範囲】
【請求項１】
前面に開口する断熱壁内を仕切板にて仕切ることにより陳列室とダクトを形成し、該ダクト内に配設した冷却器と熱交換し、送風機にて加速された冷気を前記開口上縁の冷気吐出口から吐出し、開口下縁の冷気吸込口から吸い込むことにより、前記開口に冷気エアーカーテンを形成するオープンショーケースにおいて、
前記陳列室内に架設された複数段の棚と、
該棚とその上方に位置する棚との間に渡って取り付けられた開閉自在の扉装置と、
該扉装置の背方に位置する前記仕切板に形成され、前記送風機にて加速された冷気を吹き出す冷気吹出口と、
前記扉装置とそれが取り付けられた下側の前記棚との間に形成された冷気流出部とを備え、
前記扉装置は、その下側の前記棚に取り付けられた下部レールと、前記上方に位置する棚に取り付けられた上部レールと、これらレール間に移動自在に嵌め込まれた引き戸式の透明扉板とから構成され、前記下部レールは部分的に設けられたスペーサを介して前記棚に取り付けられ、該スペーサにて構成される前記下部レールと前記棚との間隔が前記冷気流出部になると共に、前記スペーサの高さ寸法は変更可能とされており、
前記冷気吹出口から吹き出された冷気は、前記冷気流出部より流出し、前記冷気吸込口に吸い込まれることを特徴とするオープンショーケース。
【請求項２】
前記扉板には通気口が形成されていることを特徴とする請求項１に記載のオープンショーケース。
【請求項３】
前記下部レール及び上部レールは、前記棚に着脱可能に取り付けられることを特徴とする請求項１又は請求項２に記載のオープンショーケース。
【請求項４】
前記下部レールには複数の透孔が形成されていることを特徴とする請求項１乃至請求項３のうちの何れかに記載のオープンショーケース。
【請求項５】
前記扉装置は自閉扉であることを特徴とする請求項１乃至請求項４の何れかに記載のオープンショーケース。
【請求項６】
前記下部レールは、前記扉板が閉じる方向に低く傾斜していることを特徴とする請求項５に記載のオープンショーケース。
【発明の詳細な説明】
【技術分野】
【０００１】
本発明は、断熱壁の前面開口に冷気エアーカーテンを形成すると共に、断熱壁内に構成された陳列室には複数段の棚を架設して成るオープンショーケースに関するものである。
【背景技術】
【０００２】
従来よりこの種オープンショーケースは、前面に開口する断面略コ字状の断熱壁内を仕切板にて仕切り、この仕切板の前側を陳列室とし、後側をダクトとしている。そして、陳列室内には商品を陳列するための棚を複数段架設すると共に、ダクト内には冷却器と送風機を設置し、この冷却器と熱交換した冷気を送風機にて開口上縁の冷気吐出口から吐出し、開口下縁の冷気吸込口から吸い込むことにより、開口に冷気エアーカーテンを形成しつつ、一部を陳列室内に循環させて各棚上の商品を冷却する方式とされている。
【０００３】
このようなオープンショーケースにおいて、何れかの棚上の領域前面を扉にて開閉自在に閉塞し、棚上の空間には仕切板から冷気を吹き出すことで、当該棚上の領域を他の陳列室内よりも局所的に低い温度に冷却することができるようにしたものも開発されている（例えば、特許文献１参照）。
【先行技術文献】
【特許文献】
【０００４】
【特許文献１】特開昭５８−７２８６５号公報
【発明の概要】
【発明が解決しようとする課題】
【０００５】
しかしながら、係る従来の特許文献に示された構成では、扉自体の構造が複雑になると共に、扉後方の棚上の領域に吹き出された冷気を抜くために、扉受枠をエアーカーテン吸込グリルに取り付けており、これにより、エアーカーテン吸込グリルの形状も従来とは異なるものに設計変更しなければならない等の問題があった。
【０００６】
本発明は、係る従来の技術的課題を解決するためになされたものであり、簡単な構成で棚上の領域を局所的に低い温度に冷却することができるオープンショーケースを提供することを目的とする。
【課題を解決するための手段】
【０００７】
上記課題を解決するために、本発明のオープンショーケースは、前面に開口する断熱壁内を仕切板にて仕切ることにより陳列室とダクトを形成し、このダクト内に配設した冷却器と熱交換し、送風機にて加速された冷気を開口上縁の冷気吐出口から吐出し、開口下縁の冷気吸込口から吸い込むことにより、開口に冷気エアーカーテンを形成するものであって、陳列室内に架設された複数段の棚と、この棚とその上方に位置する棚との間に渡って取り付けられた開閉自在の扉装置と、この扉装置の背方に位置する仕切板に形成され、送風機にて加速された冷気を吹き出す冷気吹出口と、扉装置とそれが取り付けられた下側の棚との間に形成された冷気流出部とを備え、扉装置は、その下側の棚に取り付けられた下部レールと、上方に位置する棚に取り付けられた上部レールと、これらレール間に移動自在に嵌め込まれた引き戸式の透明扉板とから構成されており、下部レールは部分的に設けられたスペーサを介して棚に取り付けられ、このスペーサにて構成される下部レールと棚との間隔が冷気流出部になると共に、スペーサの高さ寸法は変更可能とされており、冷気吹出口から吹き出された冷気は、冷気流出部より流出し、冷気吸込口に吸い込まれることを特徴とする。
【０００９】
請求項２の発明のオープンショーケースは、上記発明において扉板には通気口が形成されていることを特徴とする。
【００１０】
請求項３の発明のオープンショーケースは、請求項１又は請求項２の発明において下部レール及び上部レールは、棚に着脱可能に取り付けられることを特徴とする。
【００１１】
請求項４の発明のオープンショーケースは、請求項１乃至請求項３のうちの何れかの発明において下部レールには複数の透孔が形成されていることを特徴とする。
【００１２】
請求項５の発明のオープンショーケースは、請求項１乃至請求項４のうちの何れかの発明において扉装置は自閉扉であることを特徴とする。
【００１３】
請求項６の発明のオープンショーケースは、上記発明において下部レールは、扉板が閉じる方向に低く傾斜していることを特徴とする。
【発明の効果】
【００１４】
本発明によれば、前面に開口する断熱壁内を仕切板にて仕切ることにより陳列室とダクトを形成し、このダクト内に配設した冷却器と熱交換し、送風機にて加速された冷気を開口上縁の冷気吐出口から吐出し、開口下縁の冷気吸込口から吸い込むことにより、開口に冷気エアーカーテンを形成するオープンショーケースにおいて、陳列室内に架設された複数段の棚と、この棚とその上方に位置する棚との間に渡って取り付けられた開閉自在の扉装置と、この扉装置の背方に位置する仕切板に形成され、送風機にて加速された冷気を吹き出す冷気吹出口と、扉装置とそれが取り付けられた下側の棚との間に形成された冷気流出部とを備えており、冷気吹出口から吹き出された冷気が、冷気流出部より流出し、冷気吸込口に吸い込まれるようにしたので、扉装置により棚上の領域への塵埃の侵入を阻止することができると共に、扉装置にて閉じられた棚上の領域に冷気吹出口から冷気を吹き出し、冷気流出部より流出させることで円滑に冷気の流通を行わせ、当該領域を局所的に低い温度に冷却することができるようになる。
【００１５】
この場合、冷気流出部は扉装置とそれが取り付けられた下側の棚との間に形成しているので、従来のように冷気吸込口を変更する必要が無くなり、構造の簡素化を図ることができるようになる。また、既存のオープンショーケースの構造を変更すること無く実現することができるので、汎用性にも富んだものとなる。
【００１６】
また、扉装置を、その下側の棚に取り付けられた下部レールと、上方に位置する棚に取り付けられた上部レールと、これらレール間に移動自在に嵌め込まれた引き戸式の透明扉板とから構成し、下部レールを部分的に設けたスペーサを介して棚に取り付け、このスペーサにて構成された下部レールと棚との間隔を冷気流出部とすることで、より一層の構造の簡素化を図ることができるようになる。
【００１７】
特に、スペーサの高さ寸法は変更可能とされているので、棚位置が変更されて下側の棚とその上方の棚との間隔が変化した場合にも、スペーサの高さ寸法を調整することで対応することができるようになり、扉板として寸法の異なるものを複数準備する必要もなくなるものである。
【００１８】
また、請求項２の発明の如く扉板に通気口を形成すれば、棚上の領域に吹き出された冷気を、扉板の通気口からより一層円滑に流出させることができるようになり、扉装置と棚との間の冷気流出部の冷気通過面積を大きく確保できない場合に、扉板の通気口から冷気を円滑に流出させることができるようになる。
【００１９】
また、請求項３の発明の如く下部レール及び上部レールを、棚に着脱可能に取り付けるようにすれば、局所的な冷却が不要で扉装置を用いない場合や、異なる位置の棚に扉装置を移動する場合に、容易に撤去若しくは移設することが可能となり、著しい利便性の向上を図ることができるようになる。
【００２０】
また、請求項４の発明の如く下部レールに複数の透孔を形成すれば、扉板に付着して流下する結露水を透孔から円滑に排出することができるようになると共に、下部レールに溜まる塵埃の除去も用意となる。
【００２１】
また、請求項５の発明の如く扉装置を自閉扉とすれば、顧客等により扉板が開いたままで放置される不都合を解消することが可能となる。この場合、請求項６の発明の如く下部レールを、扉板が閉じる方向に低く傾斜させることにより、自重で扉板を閉じることができるようになり、構造の簡素化を図ることが可能となる。
【図面の簡単な説明】
【００２２】
【図１】本発明を適用した実施例のオープンショーケースの縦断側面図である。
【図２】図１のオープンショーケース下部の拡大縦断側面図である。
【図３】図２のオープンショーケースの扉装置下部の拡大縦断側面図である。
【発明を実施するための形態】
【００２３】
以下、本発明の実施の形態について、図面に基づき詳細に説明する。実施例のオープンショーケース１は、例えばスーパーマーケットやコンビニエンスストア等の店舗に設置されて商品を冷却しながら陳列販売するものであり、前面に開口する断面略コ字状の断熱壁２と、この断熱壁２の左右に取り付けられた図示しない側板とから本体が構成されている。
【００２４】
断熱壁２の内側には間隔を存して鋼板製の仕切板（インテリアリア）４が取り付けられ、この仕切板４の上端には鋼板製の天板６が断熱壁２の内側に間隔を存して取り付けられている。また、仕切板４の下端にはデックパンと称される鋼板製の最下段の棚７Ａが断熱壁２と間隔を存して取り付けられており、これら仕切板４、天板６及び棚７Ａの内側が前面に開口する陳列室８とされ、それらと断熱壁２との間が一連のダクト９とされている。
【００２５】
断熱壁２の前面開口上縁には冷気吐出口１１が形成され、下縁には冷気吸込口１２が形成されており、それぞれダクト９に連通している。また、仕切板４の下部後側のダクト９内には、冷却装置の冷凍サイクルを構成する冷却器１３が縦設されており、棚７Ａの下側のダクト９内には送風機１４が設置されている。冷却器１３には図示しない冷凍機から冷媒が供給されて冷却作用を発揮するものである。
【００２６】
そして、仕切板４の前側の陳列室８内には鋼板製の棚７が複数段架設されている。各棚７はブラケット１６を介して仕切板４左右の図示しない支柱に上下位置変更可能に取り付けられている。
【００２７】
そして、実施例では最下段の棚７Ａ（デックパン）の前端部とその上方に位置する棚７（上から６段目の棚）の前端部には、それらに渡って扉装置１７が取り付けられ、棚７Ａ上の領域８Ａの前方を開閉自在に閉塞する。実施例の扉装置１７は、下部レール１８と、上部レール１９とそれらの間に左右へ移動自在に嵌め込まれた引き戸式の二枚の透明扉板２１、２１とから構成されている。
【００２８】
この場合、上部レール１９はネジにより棚７の前端部に着脱可能に取り付けられている。一方、下部レール１８は棚７Ａとの間に部分的に介設された磁石から成るスペーサ２２Ａ、２２Ｂの磁力により、棚７Ａに着脱可能に取り付けられている。実施例では二枚のスペーサ２２Ａ、２２Ｂを重合して用いているが、その枚数は適宜変更可能である。即ち、棚７Ａの上方の棚７の位置が変更されて、当該棚７と最下段の棚７Ａとの間隔が変化した場合には、スペーサ２２Ａ、２２Ｂの枚数を増加、或いは、減少させて全体の高さ寸法を変更し、棚７と７Ａ間の間隔の変化を吸収することができるように構成されている。
【００２９】
そして、このスペーサ２２Ａ、２２Ｂが存在しない部分には、それらの高さ寸法分の冷気流出部２３が下部レール１８と棚７Ａ間に構成される。そして、この冷気流出部２３は冷気吸込口２３の直後に位置している。
【００３０】
また、下部レール１８には複数の透孔２４が穿設されている。更に、この下部レール１８は扉板２１、２１が閉じる方向に低く傾斜している。即ち、前側のレール溝１８Ａは向かって左側に低く（レール溝１８Ａの最も低い箇所を１８ＡＬで示す）、後側のレール溝１８Ｂは向かって右側に低く傾斜しており、レール溝１８Ａに嵌め込まれた前側の扉板２１は向かって左側に、レール溝１８Ｂに嵌め込まれた後側の扉板２１は向かって右側に位置して棚７Ａ上の領域８Ａの前方を閉じる。これにより、各扉板２１、２１は開放された状態から自重で閉じる方向にスライドするようになるので、扉装置１７は自閉扉となる。
【００３１】
更に、扉板２１、２１には通気口２６がそれぞれ形成されている。また、扉装置１７の背方に位置する仕切板４には、送風機１４で加速され、冷却器１３と熱交換した冷気を棚７Ａ上の領域８Ａに吹き出すための冷気吹出口２７が形成されており、更に、その上方の棚７、７上の領域背方に対応する仕切板４にも冷気吹出口２８がそれぞれ形成されている。
【００３２】
以上の構成で、送風機１４が運転されると、冷却器１３と熱交換したダクト９内の冷気は加速されて吹き上げられ、冷気吐出口１１から陳列室８の開口に向けて吐出される。この冷気は陳列室８の前面開口に冷気エアーカーテンを形成した後、冷気吸込口１２から吸い込まれ、送風機１４に帰還する循環を繰り返す。また、冷却器１３から出た冷気の一部は各冷気吹出口２７、２８からも陳列室８内に吹き出される。この吹き出された冷気と冷気エアーカーテンの一部が陳列室８内を冷却することになる。
【００３３】
特に、冷気吹出口２７から領域８Ａ内に吹き出された冷気は、領域８Ａ内を循環して冷却する。この領域８Ａの前方は扉装置１７により閉塞されているので、他の領域よりも局所的に温度が低い領域となる。また、下部レール１８と棚７Ａ間には冷気流出部２３が形成されているので、領域８Ａ内を循環した後の冷気は、この冷気流出部２３から流出し、冷気吸込口１２に吸い込まれて送風機１４に帰還することになる。尚、扉装置１７の上部や両側、扉板２１、２１間の隙間からも冷気は冷気吸込口１２に向けて流出する。
【００３４】
このように、扉装置１７を設けたことにより、棚７Ａ上の領域８Ａへの塵埃の侵入を阻止することができるようになると共に、扉装置１７にて閉じられた棚７Ａ上の領域８Ａに冷気吹出口２７から冷気を吹き出し、冷気流出部２３より流出させることで円滑に冷気の流通を行わせ、当該領域８Ａを局所的に低い温度に冷却することができるようになる。
【００３５】
この場合、冷気流出部２３は扉装置１７とそれが取り付けられた下側の棚７Ａとの間に形成しているので、冷気吸込口１２の形状を変更する必要が無くなり、既存のオープンショーケースで実現することができるようになる。また、扉装置１７の下部レール１８を部分的に設けたスペーサ２２Ａ、２２Ｂを介して棚７Ａに取り付け、このスペーサ２２Ａ、２２Ｂにて構成された下部レール１８と棚７Ａとの間隔を冷気流出部２３としているので、一層の構造の簡素化を図ることができるようになる。
【００３６】
特に、スペーサ２２Ａ、２２Ｂの全体の高さ寸法を、その枚数を増減することで変更可能としたので、棚７の位置が変更されて下側の棚７Ａとその上方の棚７との間隔が変化した場合にも、スペーサ２２Ａ、２２Ｂを合わせた高さ寸法を調整することで対応することができるようになり、扉板２１として寸法の異なるものを複数準備する必要もなくなる。
【００３７】
また、扉板２１には通気口２６を形成したので、棚７Ａ上の領域８Ａに吹き出された冷気を、扉板２１の通気口２６からも流出させることができるようになり、棚７と７Ａ間の間隔が比較的小さく、扉装置１７と棚７Ａとの間の冷気流出部２３の冷気通過面積を大きく確保できない場合に、扉板２１の通気口２６から冷気を円滑に流出させることができるようになる。
【００３８】
また、下部レール１８及び上部レール１９は、棚７Ａ、７に着脱可能に取り付けるようにしているので、局所的な冷却が不要で扉装置１７を用いない場合や、上方の棚７と棚７との間に扉装置１７を移動する場合に、容易に撤去若しくは移設することが可能となり、著しい利便性の向上を図ることができるようになる。
【００３９】
また、下部レール１８には複数の透孔２４を形成しているので、扉板２１に付着して流下する結露水を透孔２４から円滑に排出することができるようになると共に、下部レール１８に溜まる塵埃の除去も用意となる。
【００４０】
更に、扉装置１７は自閉扉とされているので、顧客等により扉板２１、２１が開いたままで放置される不都合を解消することが可能となる。この場合、下部レール１８は、扉板２１、２１が閉じる方向に低く傾斜しているので、自重で扉板２１、２１を閉じることができるようになり、構造も簡素化される。
【００４１】
尚、実施例では引き戸式扉で扉装置１７を構成したが、請求項１の発明ではそれ以外にも、所謂回動式の扉にて構成しても良い。更に、実施例では最下段の棚７Ａとその上の棚７との間に扉装置１７を設けたが、それに限らず、更にその上方の棚７、７間（冷気吹出口２８が位置する領域前方）に取り付けても良い。
【００４２】
また、実施例では下部レール１８を磁力で、上部レール１９はネジで着脱自在に取り付けたが、それに限らず、何れも磁力、何れもネジ、又は、嵌め込みで棚７、７Ａに着脱自在に取り付けても良い。
【符号の説明】
【００４３】
１  オープンショーケース
２  断熱壁
４  仕切板
７、７Ａ  棚
８  陳列室
８Ａ  領域
９  ダクト
１１  冷気吐出口
１２  冷気吸込口
１３  冷却器
１４  送風機
１７  扉装置
１８  下部レール
１９  上部レール
２１  扉板
２２Ａ、２２Ｂ  スペーサ
２３  冷気流出部
２４  透孔
２６  通気口
２７、２８  冷気吹出口
【図１】
0005979480.tif 000002
【図２】
0005979480.tif 000003
【図３】
0005979480.tif 000004